(57)【要約】【課題】遊技を通じて遊技者が増やした遊技媒体の数量、又は、遊技を通じて遊技者が失った遊技媒体の数量、又は、入賞状態となった際に排出される遊技媒体の数量、又は、遊技媒体計数機３０により計数された遊技媒体の数量を表示部に表示することのできる携帯機器１０、遊技機２０、遊技媒体計数機３０、及び、遊技媒体情報取得システム１を提供する。【解決手段】本発明の遊技媒体情報取得システム１は、差分情報が所定の差分情報となったことを検知する差分検知部２２と、差分検知部２２により検知された差分情報に関連付けられている音情報を出力する音情報出力部２１と、音情報出力部２１から出力された音情報を取得する音情報取得部１１と、音情報取得部により取得された音情報に関連付けられている数量情報及び種類情報を記憶部から検索する制御部１３と、検索部により検索された数量情報及び種類情報を表示する表示部１４とを具備することを要旨とする。【選択図】      図１
2004147847.tif 000002
【特許請求の範囲】
【請求項１】
遊技に使用される遊技媒体に関する情報を取得する遊技媒体情報取得システムであって、
遊技機から排出された前記遊技媒体の数量と当該遊技機により回収された前記遊技媒体の数量との差分を示す差分情報が所定の差分情報となったことを検知する差分検知部と、
前記所定の差分情報と所定の音情報とを予め関連付けて複数記憶している差分音情報記憶部と、
前記差分検知部により検知された前記所定の差分情報に関連付けられている前記音情報を出力する音情報出力部と、
前記音情報出力部から出力された前記音情報を取得する音情報取得部と、
前記音情報取得部により取得された前記音情報と、前記遊技媒体の数量を示す数量情報と、当該数量情報の種類を示す種類情報とを予め関連付けて記憶している記憶部と、
前記音情報取得部により取得された前記音情報に関連付けられている前記数量情報及び前記種類情報を前記記憶部から検索する検索部と、
前記検索部により検索された前記数量情報及び前記種類情報を表示する表示部とを具備することを特徴とする遊技媒体情報取得システム。
【請求項２】
前記遊技機から所定数量の前記遊技媒体が排出される入賞状態となったことを検知する入賞検知部と、
前記入賞状態を示す入賞情報と前記音情報とを予め関連付けて記憶している入賞音情報記憶部とを具備し、
前記音情報出力部は、前記入賞検知部により検知された前記入賞状態を示す前記入賞情報に関連付けられている前記音情報を出力することを特徴とする請求項１に記載の遊技媒体情報取得システム。
【請求項３】
前記遊技媒体の数量を計数する計数部と、
前記計数部により計数された前記遊技媒体の数量と前記音情報とを予め関連付けて記憶している計数音情報記憶部とを具備し、
前記音情報出力部は、前記計数部により計数された前記遊技媒体の数量に関連付けられている前記音情報を出力することを特徴とする請求項１に記載の遊技媒体情報取得システム。
【請求項４】
前記音情報は、ＤＴＭＦ音により構成されていることを特徴とする請求項１に記載の遊技媒体情報取得システム。
【請求項５】
遊技場に設置されている遊技機、又は、遊技に使用される遊技媒体を計数する遊技媒体計数機から出力された音情報を取得する音情報取得部と、
前記音情報取得部により取得された前記音情報と、前記遊技媒体の数量を示す数量情報と、当該数量情報の種類を示す種類情報とを予め関連付けて記憶している記憶部と、
前記音情報取得部により取得された前記音情報に関連付けられている前記数量情報及び前記種類情報を前記記憶部から検索する検索部と、
前記検索部により検索された前記数量情報及び前記種類情報を表示する表示部とを具備することを特徴とする携帯機器。
【請求項６】
前記音情報は、ＤＴＭＦ音により構成されていることを特徴とする請求項５に記載の携帯機器。
【請求項７】
遊技機から排出された遊技媒体の数量と当該遊技機により回収された前記遊技媒体の数量との差分を示す差分情報が所定の差分情報となったことを検知する差分検知部と、
前記所定の差分情報と所定の音情報とを予め関連付けて記憶している差分音情報記憶部と、
前記差分検知部により検知された前記所定の差分情報に関連づけられている前記音情報を出力する音情報出力部を具備することを特徴とする遊技機。
【請求項８】
前記遊技機から所定数量の前記遊技媒体が排出される入賞状態となったことを検知する入賞検知部と、
前記入賞状態を示す入賞情報と前記音情報とを予め関連づけて記憶している入賞音情報記憶部とを具備し、
前記音情報出力部は、前記入賞検知部により検知された前記入賞状態を示す前記入賞情報に関連付けられている前記音情報を出力することを特徴とする請求項７に記載の遊技機。
【請求項９】
前記音情報は、ＤＴＭＦ音により構成されていることを特徴とする請求項７に記載の遊技機。
【請求項１０】
遊技に使用される遊技媒体の数量を計数する遊技媒体計数機であって、
前記遊技媒体の数量を計数する計数部と、
前記計数部により計数された前記遊技媒体の数量と所定の音情報とを予め関連付けて記憶している計数音情報記憶部と、
前記計数部により計数された前記遊技媒体の数量に関連付けられている前記音情報を出力する音情報出力部とを具備することを特徴とする遊技媒体計数機。
【請求項１１】
前記音情報は、ＤＴＭＦ音により構成されていることを特徴とする請求項１０に記載の遊技媒体計数機。
【発明の詳細な説明】
【０００１】
【発明の属する技術分野】
本発明は、遊技に使用される遊技媒体に関する情報を取得する携帯機器、遊技機、遊技媒体計数機、及び、遊技媒体情報取得システムに関する。
【０００２】
【従来の技術】
遊技者は、当該遊技者が保有している遊技媒体の増減を確認しながら遊技を行っている。ここで、遊技は、例えば、弾道式遊技（パチンコ）、回胴式遊技（パチスロ）などである。また、遊技媒体は、例えば、弾道式遊技に使用される遊技球、回胴式遊技に使用される遊技メダルなどである。
【０００３】
また、遊技機は、遊技の状態が入賞状態となった際に、所定数量の遊技媒体を排出する。ここで、入賞状態とは、回胴式遊技機（パチスロ台）を例に挙げると、当該回胴式遊技機の表示部に、「７７７」、「３３３」などが表示される状態である（いわゆる「当たり」、「大当たり」などの状態）。
【０００４】
一方、遊技者は、遊技終了後に保有している遊技媒体の数量を遊技媒体計数機により計数する。ここで、遊技媒体計数機は、所定の投入口に遊技媒体が投入されると、投入された遊技媒体の数量を計数する装置である。また、遊技者は、遊技媒体計数機により計数された遊技媒体の数量を会員カードに記憶させることにより、保有している遊技媒体を貯蓄することができる。また、遊技者は、会員カードに記憶されている遊技媒体の数量を限度として、遊技媒体貸出機から遊技媒体を引き出すこともできる。ここで、遊技媒体貸出機は、例えば、サンド玉貸機などである。なお、会員カードは、遊技場から発行されるものである（例えば、特許文献１参照）。
【０００５】
【特許文献１】
特開２００１−９６０５４号公報
【０００６】
【発明が解決しようとする課題】
しかしながら、従来、遊技者は、遊技を行っている途中で、当該遊技者の保有している遊技媒体の増加分を示す数量又は減少分を示す数量までは確認することができないという問題点があった。また、遊技者は、入賞状態となった際に排出される遊技媒体の数量を確認することができないという問題点があった。さらに、遊技者は、会員カードに記憶されている遊技媒体の数量を、自宅などで確認することができないという問題点があった。
【０００７】
そこで本発明は以上の点に鑑みてなされたものであり、遊技を通じて遊技者が増やした遊技媒体の数量、又は、遊技を通じて遊技者が失った遊技媒体の数量、又は、入賞状態となった際に排出される遊技媒体の数量、又は、遊技媒体計数機により計数された遊技媒体の数量を表示部に表示することのできる携帯機器、遊技機、遊技媒体計数機、及び、遊技機媒体情報取得システムを提供することを目的とする。
【０００８】
【課題を解決するための手段】
本発明の第１の特徴は、遊技に使用される遊技媒体に関する情報を取得する遊技媒体情報取得システムであって、遊技媒体情報取得システムが、遊技機から排出された遊技媒体の数量と当該遊技機により回収された遊技媒体の数量との差分を示す差分情報が所定の差分情報となったことを検知する差分検知部と、所定の差分情報と所定の音情報とを予め関連付けて複数記憶している差分音情報記憶部と、差分検知部により検知された所定の差分情報に関連付けられている音情報を出力する音情報出力部と、音情報出力部から出力された音情報を取得する音情報取得部と、音情報取得部により取得された音情報と遊技媒体の数量を示す数量情報と当該数量情報の種類を示す種類情報とを予め関連付けて記憶している記憶部と、音情報取得部により取得された音情報に関連付けられている数量情報及び種類情報を記憶部から検索する検索部と、検索部により検索された数量情報及び種類情報を表示する表示部とを具備することを要旨とする。
【０００９】
かかる特徴によれば、音情報出力部は、差分情報に関連付けられている音情報を出力し、表示部は、当該音情報に関連付けられている数量情報及び種類情報を表示する。なお、差分情報は、遊技を通じて遊技者が増やした遊技媒体の数量、又は、遊技を通じて遊技者が失った遊技媒体の数量を表している。これにより、遊技媒体情報取得システムは、遊技を通じて遊技者が増やした遊技媒体の数量、又は、遊技を通じて遊技者が失った遊技媒体の数量を表示部に表示することができる。
【００１０】
本発明の第２の特徴は、本発明の第１の特徴において、遊技媒体情報取得システムが、遊技機から所定数量の遊技媒体が排出される入賞状態となったことを検知する入賞検知部と、入賞状態を示す入賞情報と当該入賞状態を示す入賞情報に関連付けられている音情報とを予め関連付けて記憶している入賞音情報記憶部とを具備し、音情報出力部が、入賞検知部により検知された入賞状態を示す入賞情報に関連付けられている音情報を出力することを要旨とする。
【００１１】
かかる特徴によれば、音情報出力部は、入賞状態を示す入賞情報に関連付けられている音情報を出力し、表示部は、当該音情報に関連付けられている数量情報及び種類情報を表示する。これにより、遊技媒体情報取得システムは、入賞状態となった際に排出される遊技媒体の数量を表示部に表示することができる。
【００１２】
本発明の第３の特徴は、本発明の第１の特徴において、遊技媒体情報取得システムが、遊技媒体の数量を計数する計数部と、計数部により計数された遊技媒体の数量に関連付けられている音情報とを予め関連付けて記憶している計数音情報記憶部とを具備し、音情報出力部が、計数部により計数された遊技媒体の数量に関連付けられている音情報を出力することを要旨とする。
【００１３】
かかる特徴によれば、音情報出力部は、計数部により計数された遊技媒体の数量に関連付けられている音情報を出力し、表示部は、当該音情報に関連付けられている数量情報及び種類情報を表示する。なお、遊技者は、遊技終了後に保有している遊技媒体の数量を計数部により計数する。これにより、遊技媒体情報取得システムは、遊技者が保有している遊技媒体の数量を表示部に表示することができる。
【００１４】
本発明の第４の特徴は、本発明の第１の特徴において、音情報が、ＤＴＭＦ音により構成されていることを要旨とする。
【００１５】
かかる特徴によれば、音情報がＤＴＭＦ音により構成されるため、音情報を簡易な装置にて識別することができる。また、ＤＴＭＦ音の種類は、一般的には１６種類程度と限られているため、記憶部及び差分音情報記憶部及び入賞音情報記憶部及び計数音情報記憶部の記憶容量を低減することができる。
【００１６】
本発明の第５の特徴は、携帯機器が、遊技場に設置されている遊技機又は遊技に使用される遊技媒体を計数する遊技媒体計数機から出力された音情報を取得する音情報取得部と、音情報取得部により取得された音情報と遊技媒体の数量を示す数量情報と当該数量情報の種類を示す種類情報とを予め関連付けて記憶している記憶部と、音情報取得部により取得された音情報に関連付けられている数量情報及び種類情報を記憶部から検索する検索部と、検索部により検索された数量情報及び種類情報を表示する表示部とを具備することを要旨とする。
【００１７】
かかる特徴によれば、携帯機器は、遊技者が貯蓄している遊技媒体の数量を表示部に表示するため、遊技者は、貯蓄している遊技媒体の数量を自宅などで確認できる。
【００１８】
本発明の第６の特徴は、本発明の第５の特徴において、音情報が、ＤＴＭＦ音により構成されていることを要旨とする。
【００１９】
本発明の第７の特徴は、遊技機が、遊技機から排出された遊技媒体の数量と当該遊技機により回収された遊技媒体の数量との差分を示す差分情報が所定の差分情報となったことを検知する差分検知部と、所定の差分情報と所定の音情報とを予め関連付けて記憶している差分音情報記憶部と、差分検知部により検知された所定の差分情報に関連づけられている音情報を出力する音情報出力部を具備することを要旨とする。
【００２０】
本発明の第８の特徴は、本発明の第７の特徴において、遊技機が、遊技機から所定数量の遊技媒体が排出される入賞状態となったことを検知する入賞検知部と、入賞状態を示す入賞情報と音情報とを予め関連づけて記憶している入賞音情報記憶部とを具備し、音情報出力部は、入賞検知部により検知された入賞状態を示す入賞情報に関連付けられている音情報を出力することを要旨とする。
【００２１】
本発明の第９の特徴は、本発明の第７の特徴において、音情報が、ＤＴＭＦ音により構成されていることを要旨とする。
【００２２】
本発明の第１０の特徴は、遊技媒体計数機が、遊技に使用される遊技媒体の数量を計数する計数部と、計数部により計数された遊技媒体の数量と所定の音情報とを予め関連付けて記憶している計数音情報記憶部と、計数部により計数された遊技媒体の数量に関連付けられている音情報を出力する音情報出力部とを具備することを要旨とする。
【００２３】
本発明の第１１の特徴は、本発明の第１０の特徴において、音情報が、ＤＴＭＦ音により構成されていることを要旨とする。
【００２４】
【発明の実施の形態】
（遊技媒体情報取得システムの構成）
遊技媒体情報取得システムの構成について図面を参照しながら説明する。図１及び図２は、本実施形態における遊技媒体情報取得システム１を示すブロック図である。図３は、記憶部１２に記憶されている情報を示す表である。図４は、差分音情報記憶部２３に記憶されている情報を示す表である。図５は、入賞音情報記憶部２５に記憶されている情報を示す表である。図６は、計数音情報記憶部３３に記憶されている情報を示す図である。
【００２５】
遊技媒体情報取得システム１は、図１及び図２に示すように、携帯機器１０と、遊技機２０と、遊技媒体計数機３０とを具備する。
【００２６】
携帯機器１０は、音情報取得部１１と、記憶部１２と、制御部１３と、表示部１４とを具備する。
【００２７】
音情報取得部１１は、音情報出力部２１又は音情報出力部３１から出力された音情報を取得する。また、音情報取得部１１は、当該音情報取得部１１により取得された音情報を制御部１３に送信する。音情報取得部１１は、例えば、マイクロフォンなどである。
【００２８】
記憶部１２は、図３に示すように、音情報と数量情報と種類情報とを予め関連づけて記憶している。
【００２９】
音情報は、数量情報及び種類情報を一意に特定するものである。ここで、音情報は、例えば、音楽、ファンファーレ、効果音などである。
【００３０】
数量情報は、遊技媒体の数量を示すものである。ここで、遊技媒体は、例えば、弾道式遊技（パチンコ）に使用される遊技球、回胴式遊技（パチスロ）に使用される遊技メダルなどである。
【００３１】
種類情報は、数量情報の種類を示すものである。ここで、種類情報は、例えば、差分情報、入賞情報、計数情報などである。
【００３２】
ここで、差分情報は、遊技者が遊技を通じて増やした遊技媒体の数量、又は、遊技者が遊技を通じて失った遊技媒体の数量である。
【００３３】
入賞情報は、遊技の状態が入賞状態となった際に排出される遊技媒体の数量である。ここで、入賞状態とは、回胴式遊技機を例に挙げると、当該回胴式遊技機の表示部に、「７７７」、「３３３」などが表示される状態である（いわゆる「当たり」、「大当たり」などの状態）。
【００３４】
計数情報は、遊技媒体計数機により計数された遊技媒体の数量である。なお、遊技者は、遊技終了後に保有している遊技媒体を遊技媒体計数機により計数し、計数された遊技媒体を貯蓄する。
【００３５】
制御部１３は、音情報取得部１１より受信した音情報に関連付けられている数量情報及び種類情報を記憶部１２から検索する検索部である。また、制御部１３は、制御部１３により検索された数量情報及び種類情報を表示部１４に表示する。
【００３６】
制御部１３は、制御部１３により検索された数量情報及び種類情報を記憶する。また、制御部１３は、遊技者の入力操作に基づき、記憶している数量情報及び種類情報を表示部１４に表示する。
【００３７】
表示部１４は、制御部１３により検索された数量情報及び種類情報を表示する。ここで、表示部１４は、例えば、液晶表示装置などである。
【００３８】
遊技機２０は、差分検知部２２と、差分音情報記憶部２３と、入賞検知部２４と、入賞音情報記憶部２５と、音情報出力部２１とを具備する。
【００３９】
差分検知部２２は、遊技機から排出された遊技媒体の数量と当該遊技機により回収された遊技媒体の数量との差分を示す差分情報が所定の差分情報となったことを検知する。ここで、差分情報は、遊技を通じて遊技者が増やした遊技媒体の数量、又は、遊技を通じて遊技者が失った遊技媒体の数量を表している。なお、遊技機は、例えば、弾道式遊技機（パチンコ台）、回胴式遊技機（パチスロ台）などである。
【００４０】
また、差分検知部２２は、差分情報が所定の差分情報となったことを検知すると、音情報出力部２１に所定の差分情報となった差分情報を送信する。
【００４１】
なお、遊技機から遊技媒体が排出される状態とは、遊技の状態が入賞状態となった状態などである。ここで、入賞状態とは、回胴式遊技機を例に挙げると、当該回胴式遊技機の表示部に、「７７７」、「３３３」などが表示される状態である（いわゆる「当たり」、「大当たり」などの状態）。
【００４２】
また、遊技機により遊技媒体が回収される状態とは、遊技の状態が一般状態のまま変化しない状態などである。ここで、一般状態とは、回胴式遊技機を例に挙げると、当該回胴式遊技機の表示部に、「７３１」、「４１０」などが表示される状態である（いわゆる「はずれ」の状態）。
【００４３】
差分音情報記憶部２３は、図４に示すように、差分情報と音情報とを予め関連付けて記憶している。
【００４４】
差分情報は、音情報を一意に特定するものである。また、差分情報は、遊技を通じて遊技者が増やした遊技媒体の数量、又は、遊技を通じて遊技者が失った遊技媒体の数量を表している。
【００４５】
音情報は、遊技機から出力される音である。ここで、例えば、音情報Ａは、音楽の一部、音情報ａは、ファンファーレの一部、音情報甲は、効果音などである。
【００４６】
入賞検知部２４は、遊技機から所定数量の遊技媒体が排出される入賞状態となったことを検知する。また、入賞検知部２４は、検知した入賞状態の種類を示す入賞情報を音情報出力部２１に送信する。なお、入賞状態となった際に排出される遊技媒体の数量は、入賞状態の種類により異なっていても良い。
【００４７】
入賞音情報記憶部２５は、図５に示すように、入賞情報と音情報とを予め関連付けて記憶している。
【００４８】
入賞情報は、音情報を一意に特定するものである。また、入賞情報は、入賞状態の種類を示すものである。入賞状態とは、遊技機から所定数量の遊技媒体が排出される遊技の状態である。ここで、入賞状態とは、回胴式遊技機を例に挙げると、当該回胴式遊技機の表示部に、「７７７」、「３３３」などが表示される状態である（いわゆる「当たり」、「大当たり」などの状態）。
【００４９】
音情報は、遊技機から出力される音である。ここで、音情報は、例えば、音楽の一部、ファンファーレの一部、効果音などである。
【００５０】
音情報出力部２１は、音情報を出力するものである。具体的には、音情報出力部２１は、差分検知部２２から差分情報を受信すると、当該差分情報に関連付けられている音情報を差分音情報記憶部２３から取得し、出力する。
【００５１】
また、音情報出力部２１は、入賞検知部２４から入賞情報を受信すると、当該入賞情報に関連付けられている音情報を入賞音情報記憶部２５から取得し、出力する。
【００５２】
遊技媒体計数機３０は、図２に示すように、計数部３２と、計数音情報記憶部３３と、音情報出力部３１とを具備する。
【００５３】
計数部３２は、遊技媒体の数量を計数する。また、計数部３２は、計数された遊技媒体の数量を示す計数情報を音情報出力部３１に送信する。
【００５４】
計数音情報記憶部３３は、図６に示すように、計数情報と音情報とを予め関連付けて記憶している。
【００５５】
計数情報は、計数部３２により計数された遊技媒体の数量を示すものである。
【００５６】
音情報は、遊技媒体計数機から出力される音である。ここで、音情報は、例えば、音楽の一部、ファンファーレの一部、効果音などである。
【００５７】
音情報出力部３１は、音情報を出力するものである。具体的には、音情報出力部３１は、計数部３２から計数情報を受信すると、当該計数情報に関連付けられている音情報を計数音情報記憶部２３から取得し、出力する。
【００５８】
なお、携帯機器１０は、携帯電話又はＰＨＳなどであってもよい。
【００５９】
（遊技媒体情報取得システムの動作）
遊技媒体情報取得システムの動作は、以下の手順により実施される。図７は、本実施形態における遊技媒体情報取得システムの動作を示すものである。
【００６０】
図７に示すように、ステップ１１において、差分検知部２２は、遊技機から排出された遊技媒体の数量と当該遊技機により回収された遊技媒体の数量との差分を示す差分情報が所定の差分情報となったことを検知する。また、差分検知部２２は、差分情報が所定の差分情報となったことを検知すると、所定の差分情報となった差分情報を音情報出力部２１に送信する。
【００６１】
ステップ１２において、入賞検知部２４は、遊技機から所定数量の遊技媒体が排出される入賞状態となったことを検知する。また、入賞検知部２４は、検知した入賞状態の種類を示す入賞情報を音情報出力部２１に送信する。
【００６２】
ステップ１３において、計数部３２は、遊技媒体の数量を計数する。また、計数部３２は、計数された遊技媒体の数量を示す計数情報を音情報出力部２１に送信する。
【００６３】
ステップ１４において、音情報出力部２１は、差分検知部２２から差分情報を受信すると、当該差分情報に関連付けられている音情報を差分音情報記憶部２３から取得し、出力する。
【００６４】
また、音情報出力部２１は、入賞検知部２４から入賞情報を受信すると、当該入賞情報に関連付けられている音情報を入賞音情報記憶部２５から取得し、出力する。
【００６５】
音情報出力部３１は、計数部３２から計数情報を受信すると、当該計数情報に関連づけられている音情報を計数音情報記憶部３３から取得し、出力する。
【００６６】
ステップ１５において、音情報取得部１１は、音情報出力部２１又は音情報出力部３１から出力された音情報を取得し、取得された音情報を制御部１３に送信する。
【００６７】
ステップ１６において、制御部１３は、音情報取得部１１から音情報を受信すると、当該音情報に関連づけられている数量情報及び種類情報を、記憶部１２から検索する。
【００６８】
ステップ１７において、制御部１３は、制御部１３により検索された数量情報及び種類情報を表示部１４に表示する。
【００６９】
（遊技媒体情報取得システムによる作用及び効果）
本実施形態における遊技媒体情報取得システムによれば、音情報出力部は、差分情報に関連付けられている音情報を出力し、表示部は、当該音情報に関連付けられている数量情報及び種類情報を表示する。なお、差分情報は、遊技を通じて遊技者が増やした遊技媒体の数量、又は、遊技を通じて遊技者が失った遊技媒体の数量を表している。これにより、遊技媒体情報取得システムは、遊技を通じて遊技者が増やした遊技媒体の数量、又は、遊技を通じて遊技者が失った遊技媒体の数量を表示部に表示することができる。
【００７０】
本実施形態における遊技媒体情報取得システムによれば、音情報出力部は、入賞状態を示す入賞情報に関連付けられている音情報を出力し、表示部は、当該音情報に関連付けられている数量情報及び種類情報を表示する。これにより、遊技媒体情報取得システムは、入賞状態となった際に排出される遊技媒体の数量を表示部に表示することができる。
【００７１】
本実施形態における遊技媒体情報取得システムによれば、音情報出力部は、計数部により計数された遊技媒体の数量に関連付けられている音情報を出力し、表示部は、当該音情報に関連付けられている数量情報及び種類情報を表示する。なお、遊技者は、遊技終了後に保有している遊技媒体の数量を計数部により計数する。これにより、遊技媒体情報取得システムは、遊技者が保有している遊技媒体の数量を表示部に表示することができる。
【００７２】
本実施形態における携帯機器によれば、携帯機器は、遊技者が貯蓄している遊技媒体の数量を表示部に表示するため、遊技者は、貯蓄している遊技媒体の数量を自宅などで確認できる。
【００７３】
（第１変更例）
なお、本発明は上記実施形態に限定されるものではなく、以下に示すような変更を加えることができる。また、以下の記載は変更点のみの記載である。
【００７４】
本変更例において、音情報は、ＤＴＭＦ音により構成されている。ＤＴＭＦ音は、低周波数の音４種類と高周波数の音４種類との組合せにより構成され、１６種類の信号を特定することができる。図８は、ＤＴＭＦ音を構成する低周波数の音４種類と高周波数の音４種類との組合せを示す表である。
【００７５】
具体的には、ＤＴＭＦ音は、図８に示すように、低周波数の音４種類（６９７Ｈｚ、７７０Ｈｚ、８５２Ｈｚ、９４１Ｈｚ）と高周波数の音４種類（１２０９Ｈｚ、１３３６Ｈｚ、１４７７Ｈｚ、１６３３Ｈｚ）との組合せにより構成され、１６種類の信号（例えば、０乃至９、Ａ乃至Ｄ、※、♯）を特定することができる。ここで、「」は、「」内の信号を特定する低周波数の音と高周波数の音との組合せを示しているものとする。例えば、「♯」は、低周波数の音（９４１Ｈｚ）と高周波数の音（１４７７Ｈｚ）との組合せにより“♯”を特定することを示している。また、例えば、「１」は、低周波数の音（６９７Ｈｚ）と高周波数の音（１２０９Ｈｚ）との組合せにより“１”を特定することを示している。
【００７６】
図９は、記憶部１２に記憶されている情報を示す表である。図９に示すように、記憶部１２は、ＤＴＭＦ音と数量情報と種類情報とを関連付けて記憶している。ＤＴＭＦ音は、数量音と種類音とにより構成されている。
【００７７】
数量音は、数量情報を示す音である。例えば、数量情報の１つである“１，０００”を示す数量音は、「♯」「１」「０」「０」「０」である。なお、「♯」は、「♯」に続く音が数量情報を示す音であることを示している。
【００７８】
種類音は、種類情報を示す音である。例えば、種類情報の１つである“差分情報”を示す種類音は、「※」「１」「１」である。なお、「※」は、「※」に続く音が数量音を示す音であることを示している。
【００７９】
図１０は、差分音情報記憶部２３に記憶されている情報を示す表である。図９に示すように、差分音情報記憶部２３は、差分情報とＤＴＭＦ音とを関連付けて記憶している。
【００８０】
図１１は、入賞音情報記憶部２５に記憶されている情報を示す表である。図９に示すように、入賞音情報記憶部２５は、入賞情報とＤＴＭＦ音とを関連付けて記憶している。
【００８１】
図１２は、計数音情報記憶部３３に記憶されている情報を示す表である。図９に示すように、計数音情報記憶部３３は、計数情報とＤＴＭＦ音とを関連付けて記憶している。
【００８２】
本変更例において、音情報は、ＤＴＭＦ音により構成されるため、音情報を簡易な装置にて識別することができる。また、ＤＴＭＦ音の種類は、１６種類と限られているため、記憶部及び差分音情報記憶部及び入賞音情報記憶部及び計数音情報記憶部の記憶容量を低減することができる。
【００８３】
【発明の効果】
遊技を通じて遊技者が増やした遊技媒体の数量、又は、遊技を通じて遊技者が失った遊技媒体の数量、又は、入賞状態となった際に排出される遊技媒体の数量、又は、遊技媒体計数機により計数された遊技媒体の数量を表示部に表示することができる。
【図面の簡単な説明】
【図１】本実施形態における遊技媒体情報取得システム１を示すブロック図である。（その１）
【図２】本実施形態における遊技媒体情報取得システム１を示すブロック図である。（その２）
【図３】本実施形態における記憶部１２に記憶されている情報を示す表である。（その１）
【図４】本実施形態における差分音情報記憶部２３に記憶されている情報を示す表である。（その１）
【図５】本実施形態における入賞音情報記憶部２５に記憶されている情報を示す表である。（その１）
【図６】本実施形態における計数音情報記憶部２５に記憶されている情報を示す表である。（その１）
【図７】本実施形態における遊技媒体情報取得システムの動作を示すフロー図である。
【図８】第１変更例におけるＤＴＭＦ音を構成する低周波数の音４種類と高周波数の音４種類との組合せを示す表である。
【図９】本実施形態における記憶部１２に記憶されている情報を示す表である。（その２）
【図１０】本実施形態における差分音情報記憶部２３に記憶されている情報を示す表である。（その２）
【図１１】本実施形態における入賞音情報記憶部２５に記憶されている情報を示す表である。（その２）
【図１２】本実施形態における計数音情報記憶部２５に記憶されている情報を示す表である。（その２）
【符号の説明】
１・・・遊技媒体情報取得システム、１０・・・携帯機器、１１・・・音情報取得部、１２・・・記憶部、１３・・・制御部、１４・・・表示部、２０・・・遊技機、２１・・・音情報出力部、２２・・・差分検知部、２３・・・差分音情報記憶部、２４・・・入賞検知部、２５・・・入賞音情報記憶部、３０・・・遊技媒体計数機、３１・・・音情報出力部、３２・・・計数部、３３・・・計数音情報記憶部、
【図１】
2004147847.tif 000003
【図２】
2004147847.tif 000004
【図３】
2004147847.tif 000005
【図４】
2004147847.tif 000006
【図５】
2004147847.tif 000007
【図６】
2004147847.tif 000008
【図７】
2004147847.tif 000009
【図８】
2004147847.tif 000010
【図９】
2004147847.tif 000011
【図１０】
2004147847.tif 000012
【図１１】
2004147847.tif 000013
【図１２】
2004147847.tif 000014